(57)【特許請求の範囲】
【請求項１】
箱本体、及び、該箱本体の外縁部に該箱本体に連成されたブロックを備え、
該ブロックの一方側からヒュージブルリンクの開脚状の接続端子が載せられ、該ブロックの他方側からは前記接続端子を接続するための接続部を連成したバスバーが前記箱本体の内部に挿入される電気接続箱においてのバスバーの取り付け構造であって、
箱本体の外縁部および該ブロックの下方に接続用の開放空間を設け、該開放空間に前記接続部を導出させるとともに、前記バスバーを前記他方側から前記箱本体の所定位置に挿入、配置させると、
該挿入及び配置により前記開放空間を移動した前記接続部の前記一方側の面に、前記接続端子が接続可能となり、且つ、前記接続部の前記他方側の面の対面側には、前記接続部及び前記接続端子を接続するナット又はボルトいずれかを備えた合成樹脂製の接続用のブロックが存在し、かつ、
該ブロックは、前記接続部の移動方向に貫通する前記接続部及び前記接続端子に対しての開口部を形成したブロック本体と、前記ナット又は前記ボルトいずれかを備えて前記接続部の前記他方側の面の前記対面側から前記ブロック本体に係合するブロック本体カバーと、を備える
ことを特徴とするバスバーの取り付け構造。
【請求項２】
請求項１に記載のバスバーの取り付け構造において、
前記開口部に、前記接続部が当接するストッパを形成することを特徴とするバスバーの取り付け構造。
【請求項３】
請求項１又は請求項２に記載のバスバーの取り付け構造において、
前記ナット又は前記ボルトの頭部は、前記ブロック本体カバーに一体成形、又は前記ブロック本体カバーに形成した貫通孔若しくは有底の孔に圧入されることを特徴とするバスバーの取り付け構造。
【請求項４】
請求項１ないし請求項３いずれか記載のバスバーの取り付け構造において、
前記ブロック本体カバーは、ヒンジを介して前記ブロック本体に一体成形されることを特徴とするバスバーの取り付け構造。
【請求項５】
請求項１に記載のバスバーの取り付け構造において、
前記ブロックは、前記接続部の移動方向に貫通する前記接続部に対しての挿通部を有し、該挿通部の前記他方側の開口縁には、前記ナット又は前記ボルトの頭部いずれかを嵌合させる可撓性を有するロックを複数形成することを特徴とするバスバーの取り付け構造。
【請求項６】
請求項６に記載のバスバーの取り付け構造において、
前記ナット又は前記ボルトの前記頭部を平面視四角形に形成することを特徴とするバスバーの取り付け構造。
【発明の詳細な説明】
【０００１】
【発明の属する技術分野】
本発明は、自動車等の車両に搭載される電気接続箱においてのバスバーの取り付け構造に関する。
【０００２】
【従来の技術】
電気接続箱の箱本体には、接続用の各種キャビティが形成されており、そこにリレーやヒューズ、ヒュージブルリンクが挿し込みにより嵌合、接続されている。また、箱本体の内部には、タブを有する複数のバスバーが所望の配索パターンで配索されており、各タブに接続された中継端子を介して箱本体の内部に挿し込まれた上記リレーの接続端子、上記ヒューズの接続端子等が接続されている。
尚、バスバーは、そのタブを介して上述のような接続がなされることから、箱本体の下側から、即ち、リレー等の接続方向の反対方向から箱本体の内部へ挿入、配置されている。
【０００３】
【発明が解決しようとする課題】
ところで、従来の上記箱本体にあっては、開脚状の接続端子を有するヒュージブルリンクと、上記バスバーとをボルト及びナットで締め付けて接続させるのは非常に困難であった。
即ち、その開脚状の接続端子を有するヒュージブルリンクにおいては、箱本体の内部へ接続端子が挿し込まれるのではなく、各種キャビティを形成した部分の表面に沿って接続端子がのびていることから、リレー等と同じように中継端子を用いてバスバーに接続させるのは構造上、非常に困難であった。
そこで、バスバーの数を増やして対策を試みたが、コストや作業工数が増大してしまい十分な対策にはならなかった。
【０００４】
本発明は、上述した事情に鑑みてなされるもので、開脚状の接続端子を有するヒュージブルリンクを容易且つ確実に接続することができるバスバーの取り付け構造を提供することを課題とする。
【０００５】
【課題を解決するための手段】
上記課題を解決するためなされた請求項１記載の本発明のバスバーの取り付け構造は、箱本体、及び、該箱本体の外縁部に該箱本体に連成されたブロックを備え、該ブロックの一方側からヒュージブルリンクの開脚状の接続端子が載せられ、該ブロックの他方側からは前記接続端子を接続するための接続部を連成したバスバーが前記箱本体の内部に挿入される電気接続箱においてのバスバーの取り付け構造であって、箱本体の外縁部および該ブロックの下方に接続用の開放空間を設け、該開放空間に前記接続部を導出させるとともに、前記バスバーを前記他方側から前記箱本体の所定位置に挿入、配置させると、該挿入及び配置により前記開放空間を移動した前記接続部の前記一方側の面に、前記接続端子が接続可能となり、且つ、前記接続部の前記他方側の面の対面側には、前記接続部及び前記接続端子を接続するナット又はボルトいずれかを備えた合成樹脂製の接続用のブロックが存在し、かつ、該ブロックは、前記接続部の移動方向に貫通する前記接続部及び前記接続端子に対しての開口部を形成したブロック本体と、前記ナット又は前記ボルトいずれかを備えて前記接続部の前記他方側の面の前記対面側から前記ブロック本体に係合するブロック本体カバーと、を備えることを特徴としている。
【０００６】
請求項２記載の本発明のバスバーの取り付け構造は、請求項１に記載のバスバーの取り付け構造において、前記開口部に、前記接続部が当接するストッパを形成することを特徴としている。
【０００７】
請求項３記載の本発明のバスバーの取り付け構造は、請求項１又は請求項２に記載のバスバーの取り付け構造において、前記ナット又は前記ボルトの頭部は、前記ブロック本体カバーに一体成形、又は前記ブロック本体カバーに形成した貫通孔若しくは有底の孔に圧入されることを特徴としている。
【０００８】
請求項４記載の本発明のバスバーの取り付け構造は、請求項１ないし請求項３いずれか記載のバスバーの取り付け構造において、前記ブロック本体カバーは、ヒンジを介して前記ブロック本体に一体成形されることを特徴としている。
【０００９】
請求項５記載の本発明のバスバーの取り付け構造は、請求項１に記載のバスバーの取り付け構造において、前記ブロックは、前記接続部の移動方向に貫通する前記接続部に対しての挿通部を有し、該挿通部の前記他方側の開口縁には、前記ナット又は前記ボルトの頭部いずれかを嵌合させる可撓性を有するロックを複数形成することを特徴としている。
【００１０】
請求項６記載の本発明のバスバーの取り付け構造は、請求項６に記載のバスバーの取り付け構造において、前記ナット又は前記ボルトの前記頭部を平面視四角形に形成することを特徴としている。
【００１２】
請求項１に記載された本発明によれば、バスバーを箱本体の内部の所定位置に挿入、配置すると、開放空間に導出されたバスバーの接続部がヒュージブルリンクの接続端子に対して接続可能な位置まで移動する。接続部の接続端子に対する面の逆側には接続用のブロックが存し、そのブロックが接続部やナット等の座部として機能する。このことから、バスバーを箱本体の内部に挿入するものでも、開脚状の接続端子を有するヒュージブルリンクを接続することが可能になる。ブロックは、ナット又はボルトいずれかを備えるから、バスバーとヒュージブルリンクとの接続が容易になる。また、あえてバスバーを増やす必要もないことから、部品点数の増大が抑えられる。
【００１３】
さらに、請求項１に記載された本発明によれば、ブロックはブロック本体とブロック本体カバーとを備えており、開放空間を移動したバスバーの接続部がブロック本体の開口部を介してヒュージブルリンクの接続端子と接続可能になる。接続部の接続端子に対する面の逆側には、ブロック本体カバーが設けられ、そのブロック本体カバーがブロック本体に係合することから、接続部がブロック本体とブロック本体カバーとの間に保持される。
例えばブロック本体カバーにナットが備えられているのであれば、ヒュージブルリンクを所定位置に置いてボルトで締め付ければ開口部を介して接続が完了するようになる。
【００１４】
請求項２に記載された本発明によれば、ブロック本体カバーがブロック本体に係合すると、接続部がブロック本体カバーにより押さえつけられて保持される。
【００１５】
請求項３に記載された本発明によれば、ナット又はボルトの頭部は、ブロック本体カバーに一体成形又は圧入されることから、ナット又はボルトの頭部が確実に保持される。
【００１６】
請求項４に記載された本発明によれば、ブロック本体カバーがヒンジを介してブロック本体に一体成形されていることから、接続にかかる作業が容易になる。また、部品点数の増大も抑えられる。
【００１７】
請求項５に記載された本発明によれば、ブロックは開口縁にロックを複数形成した挿通部を有している。開放空間を移動したバスバーの接続部は、ロックを越え挿通部を介してヒュージブルリンクの接続端子と接続可能になる。接続部の接続端子に対する面の逆側には、ロックにより保持されたナット又はボルトの頭部が配置されることになるから、これらが接続部に対する座部として機能する。
例えばブロックの挿通部におけるロックにナットを嵌合させた場合には、ヒュージブルリンクを所定位置に置いてボルトで締め付ければ接続が完了するようになる。
【００１８】
請求項６に記載された本発明によれば、相手側の螺合により回動方向の力が作用しても、確実にロックに引っかかり回ってしまうことはない。接続にかかる作業が容易になる。
【００１９】
【発明の実施の形態】
以下、図面を参照して本発明の一実施の形態を説明する。
図１は本発明のバスバーの取り付け構造の一実施の形態を示す電気接続箱としてのヒューズボックスの分解斜視図である。
【００２０】
図１において、引用符号１は自動車等の車両に搭載されるヒューズボックスを示している。そのヒューズボックス１は、箱本体２の略中央にヒュージブルリンク３が接続されている。また、箱本体２には、ヒュージブルリンク３よりも小さい三つのヒュージブルリンク４と、二列に並んだ複数のヒューズ５とが接続されている。言い換えれば、ヒューズボックス１は箱本体２を備えており、ヒュージブルリンク３、三つのヒュージブルリンク４、及び複数のヒューズ５を箱本体２の一方側から接続することができるようになっている。
【００２１】
尚、ヒューズボックス１は、特許請求の範囲に記載した電気接続箱に相当するものとする。また、更にリレーなどが接続されるジャンクションボックス等でも本発明は有効であるものとする。
【００２２】
箱本体２についてもう少し詳しく説明すると、その箱本体２は、三つのヒュージブルリンク４が上記一方側から接続される第一箱本体６と、複数のヒューズ５が同じく上記一方側から接続される第二箱本体７と、第一箱本体６及び第二箱本体７に連続するとともにヒュージブルリンク３が接続されるブロック８と備えて構成されている。また、ブロック８の下側（上下の方向は図１を正規に見た場合の上下に一致するものとする）には、開放された空間、即ち開放空間９が存するように構成されている。
【００２３】
第一箱本体６は、合成樹脂製の上壁１０と上壁１０の各辺に連成される側壁１１とを有しており、下側が開口形成されている。また、第一箱本体６には、バスバー１２がその下側から挿入により配設されるようになっている（言い換えれば、第一箱本体６（箱本体２）の他方側からバスバー１２が挿入により配設されるようになっている）。
【００２４】
上壁１０には、各種のキャビティ１３、１４、１５が形成されており、キャビティ１３に各ヒュージブルリンク４が差し込みにより接続されている。また、特に図示しないが、キャビティ１４、１５には、バッテリ等からの接続端子が接続されるようになっている。
【００２５】
側壁１１には、スリット１６（図４参照）が形成されている。スリット１６（図４参照）は、ブロック８が連成される部位の壁において形成されている。また、スリット１６（図４参照）は、側壁１１の端部からブロック８の基端まで真っ直ぐに切り欠き形成されており、バスバー１２の後述する接続部３４がスムーズに移動できるようになっている。
【００２６】
第二箱本体７は、第一箱本体６と同様、その下側が開口形成されるとともに、合成樹脂製の上壁１７と上壁１７の各辺に連成される側壁１８とを有している。また、第二箱本体７には、バスバー１９がその下側から挿入により配設されるようになっている（言い換えれば、第二箱本体７（箱本体２）の他方側からバスバー１９が挿入により配設されるようになっている）。
【００２７】
上壁１７には、複数のヒューズ５に対するキャビティ２０、２０が形成されており、ブロック８が連成される側壁１８には、スリット２１（図４参照）が形成されている。スリット２１（図４参照）は、側壁１８の端部からブロック８の基端まで真っ直ぐに切り欠き形成されており、バスバー１９の後述する接続部３８がスムーズに移動できるようになっている。
【００２８】
尚、開放空間９は、スリット１６（図４参照）を形成した側壁１１と、スリット２１（図４参照）を形成した側壁１８と、ブロック８とに囲まれて存在するようになっている。
【００２９】
ブロック８は、合成樹脂製であって、第一箱本体６及び第二箱本体７に連成される平面視長方形状のブロック本体２２と、ヒンジ２３を介してブロック本体２２に連続するブロック本体カバー２４とを備えて構成されている。
【００３０】
ブロック本体２２は板状であって、図２に示される如く、開口部２５と係合部２６とが形成されている。その開口部２５は、ブロック本体２２の略中央に形成されている。また、上下且つ平面視長方形状に貫通形成されている。開口部２５の下側の開口縁の内側には、ストッパ２７が形成されている。ストッパ２７は、後述する接続部３４及び３８の板厚に一致した段差を有しており、開放空間９（図１参照）を移動してきた上記接続部３４及び３８の縁部が当接するようになっている。係合部２６は、開口部２５を形成した部分よりも若干厚肉になっており、断面視Ｌ字状の係合孔２８が形成されている。また、係合孔２８の開口縁には、ブロック本体２２の下側に突出する薄板状の保持片２９が一体に形成されている。
【００３１】
開口部２５にストッパ２７を形成することで、接続部３４及び３８をブロック本体２２に押し付けた状態で保持することができるようになる。接続部３４及び３８の位置が安定し、確実にヒュージブルリンク３が接続されるようになる。信頼性の向上に寄与するのは勿論である。
【００３２】
ブロック本体カバー２４は、ブロック本体２２と同じ平面視長方形状に形成されており、ブロック本体２２よりも若干厚肉になっている（係合部２６の肉厚よりは薄く形成されている）。また、ブロック本体カバー２４の一端には、ブロック本体２２に連成される薄肉のヒンジ２３が連成されている（接続にかかる作業が容易になる。また、部品点数の増大が抑えられると言う利点がある）。さらに、ブロック本体カバー２４の他端には、係合孔２８に係合する係止突起３０が突出形成されており、ブロック本体カバー２４の中間には、所定のピッチで平面視六角形の貫通孔３１、３１が形成されている。
【００３３】
尚、貫通孔３１、３１には、六角形のナット３２、３２が圧入（貫通孔３１、３１を形成せずにインサート成形してもよい）により挿着されるようになっている。圧入によりナット３２、３２の位置が安定し、確実にバスバー１２及び１９とヒュージブルリンク３とが接続されるようになる。信頼性の向上に寄与するのは勿論である。
【００３４】
図１に戻り、バスバー１２は、導電性を有する金属板をプレス加工することにより製造されている。また、バスバー１２は、複数（二つのみ図示）のタブ３３をその中間に有している。バスバー１２の端部（この位置に限定されるものではない）には、ヒュージブルリンク３に対する接続部３４が形成されている。接続部３４は、平板状に形成されており、その端部寄りの中間にはボルト挿通孔３５が穿設されている。接続部３４は、スリット１６（図４参照）を介して開放空間９に導出されるようになっており、バスバー１２のその他は第一箱本体６の内部の所定位置に挿入、配置されるようになっている。尚、各タブ３３には、中継端子（不図示）の一方が接続されるようになっている（後述するタブ３６も同様）。
【００３５】
バスバー１９は、バスバー１２と同様に製造されており、複数（三つのみ図示）のタブ３６とボルト挿通孔３７を有する接続部３８とが連成されている。接続部３８は、スリット２１（図４参照）を介して開放空間９に導出されるようになっており、バスバー１９のその他は第二箱本体７の内部の所定位置に挿入、配置されるようになっている。
【００３６】
ヒュージブルリンク３は、図１又は図３に示される如く、可溶体（不図示）を収容するハウジング本体３９と、そのハウジング本体３９の底部から開脚状に導出される一対の接続端子４０、４０とを備えて構成されている。接続端子４０、４０は、それぞれボルト挿通孔４１、４１を有しており、ハウジング本体３９内で可溶体（不図示）に連成されている。
【００３７】
上記構成において、バスバー１２及び１９は以下で説明するような状態に取り付けられてヒュージブルリンク３と接続されることになる。
【００３８】
即ち、図１に示される如く、バスバー１２は第一箱本体６の下側から矢線Ｐ方向（図１の下から上に向く方向）に挿入されて、第一箱本体６の内部の所定位置に配置、固定される。開放空間９に導出された接続部３４は、スリット１６（図４参照）を介して開放空間９を矢線Ｐ方向に移動する。バスバー１９も同様に第二箱本体７の下側から矢線Ｐ方向に挿入されて、第二箱本体７の内部の所定位置に配置、固定される。開放空間９に導出された接続部３８は、スリット２１（図４参照）を介して開放空間９を矢線Ｐ方向に移動する。
【００３９】
図３又は図４において、バスバー１２を所定位置に配置、固定すると、接続部３４の一方の面（特許請求の範囲に記載した一方側の面に相当）が丁度、ストッパ２７に当接する。また、接続部３８の一方の面（特許請求の範囲に記載した一方側の面に相当）もストッパ２７に当接する。
【００４０】
この状態から、ヒンジ２３を介してブロック本体カバー２４を矢線Ｑ方向に回動させ係止突起３０を係合孔２８に係合させると、ブロック本体カバー２４がブロック本体２２の下側に係合する（図５参照）。接続部３４及び接続部３８は、ブロック本体２２とブロック本体カバー２４との間に保持される。言い換えれば、バスバー１２及び１９が所定位置に配置、固定されると、接続部３４及び接続部３８の各他方の面の対面側にブロック８を構成するブロック本体カバー２４が存する。これにより、ブロック本体カバー２４が接続部３４及び接続部３８の座部として機能する。
【００４１】
ブロック本体カバー２４がブロック本体２２の下側に係合し、接続部３４及び接続部３８の各ボルト挿通孔３５及び３７と、ブロック本体カバー２４に保持されたナット３２、３２とが同軸上に配置されると、ヒュージブルリンク３の接続が可能になる。即ち、ブロック本体２２の開口部２５を介して、保持された接続部３４及び接続部３８を臨むことができるようになるから、ヒュージブルリンク３の接続が可能になる。この状態において、バスバー１２及び１９の箱本体２に対する取り付けが完了する。
【００４２】
ヒュージブルリンク３を開口部２５を介してブロック８に載せると、接続部３４及び接続部３８の各一方の面にヒュージブルリンク３の各接続端子４０、４０が載り、各接続端子４０、４０のボルト挿通孔４１、４１と、接続部３４及び接続部３８の各ボルト挿通孔３５及び３７と、ナット３２、３２とが同軸上に配置される。
【００４３】
そして、図５に示される如く、ボルト４２、４２を締め付けることでヒュージブルリンク３がバスバー１２及び１９に接続、固定される。
【００４４】
以上を言い換えれば、箱本体２の外縁部に接続用の開放空間９を設けて、そこにバスバー１２及び１９の接続部３４及び接続部３８を導出させている。そして、バスバー１２及び１９を箱本体２の他方側から、即ち矢線Ｐ方向から箱本体２の所定位置に挿入、配置させると、バスバー１２及び１９が箱本体２に固定されるとともに、接続部３４及び接続部３８が開放空間９を移動してブロック８に保持されるようになる。このバスバー１２及び１９が取り付けられた状態においては、ブロック８に保持された接続部３４及び接続部３８の各一方の面に、ヒュージブルリンク３の各接続端子４０、４０が接続可能となる。また、接続部３４及び接続部３８の各他方の面の対面側には、ナット３２、３２を備えたブロック本体カバー２４が存するようになる。ブロック８にヒュージブルリンク３を載せ、ボルト４２、４２を締め付けると、ヒュージブルリンク３がバスバー１２及び１９に接続、固定されるようになる。
【００４５】
以上、図１ないし図５までを参照しながら説明してきたように、バスバー１２及び１９を箱本体２の内部の所定位置に挿入、配置すると、開放空間９に導出させたバスバー１２及び１９の接続部３４及び３８をヒュージブルリンク３の接続端子４０、４０に対して接続可能な位置まで移動させることができる。また、接続部３４及び３８の各他方の面の対面側には接続用のブロック８（ブロック本体カバー２４）が存することから、そのブロック８（ブロック本体カバー２４）を接続部３４及び３８等の座部として機能させることができる。
【００４６】
従って、バスバー１２及び１９のような箱本体２の内部に挿入されるバスバーであっても、開脚状の接続端子４０、４０を有するヒュージブルリンク３を接続することができる。また、ブロック８には、ナット３２、３２が保持されていることから、バスバー１２及び１９とヒュージブルリンク３との接続を容易にすることができる。さらに、あえて他のバスバーを増やす必要もないことから、部品点数の増大を抑えることができる。
【００４７】
尚、以上においては、ヒンジ２３を介してブロック本体カバー２４をブロック本体２２に嵌合させていたが、図６に示される如く、別体で嵌合させるような構成のブロック８′にしてもよい。即ち、ブロック本体２２′の両端側に係合部２６、２６を、また、ブロック本体カバー２４′の両端側に係止突起３０、３０を形成した構成であってもよい（その他の構成については上述と同じ）。
【００４８】
また、ナット３２、３２は、貫通孔３１、３１に圧入されていたが、図７に示される如く、有底の孔４３、４３（一方のみ図示）に圧入してもよい（インサート成形でもよい）。さらに、ナット３２、３２に代えて、図８に示される如く、ボルト４２、４２（一方のみ図示）の頭部４４、４４（一方のみ図示）を圧入又はインサート成形してもよい。
【００４９】
次に、本発明によるバスバーの取り付け構造の他の一実施の形態について説明する。図９は他の一実施の形態を示す電気接続箱としてのヒューズボックスの分解斜視図である。尚、上述のヒューズボックス１と基本的に同じ構成部材については同一の符号を付してその詳細な説明を省略するものとする（類似する場合にはダッシュ付の符号を付す）。
【００５０】
図９において、ヒューズボックス５１（特許請求の範囲に記載した電気接続箱に相当）の箱本体５２は、第一箱本体６と、第二箱本体７と、これらの間に開放空間９を有して連成されるブロック５３と、バスバー１２′及び１９′とを備えて構成されており、そのブロック５３を介してバスバー１２′及び１９′とヒュージブルリンク３とがボルト４２、４２及び四角ナット（平面視四角形のナット、回動防止の効果が高い）５４、５４により接続固定されるようになっている。バスバー１２′及び１９′には、それぞれボルト挿通孔３５′を有する接続部３４′及びボルト挿通孔３７′を有する接続部３８′が形成されている。
【００５１】
ブロック５３は合成樹脂製であって、図１０に示される如く、厚肉部５５とその厚肉部５５の両側（ブロック５３の長手方向の端部）に連成される薄肉部５６、５６とを有する板状に形成されている。また、ブロック５３は、平面視長方形状に形成されている。薄肉部５６、５６には、挿通部５７、５７が形成されており、その挿通部５７、５７の下側の開口縁（特許請求の範囲に記載した他方側の開口縁に相当）には、可撓性を有する複数（本形態においては三つ）のロック５８が形成されている。
【００５２】
挿通部５７、５７は、上下方向に貫通形成されており、そこには、複数のロック５８を通過した接続部３４′及び３８′が挿通されるようになっている。挿通部５７、５７は、接続部３４′及び３８′の外形に合わせて形成されている。各ロック５８は、先端に四角ナット５４を係止する係止爪５９を有している。また、各ロック５８は、接続部３４′及び３８′の先端部分が通過可能となるように形成されている。各係止爪５９は、互いに内側に向くように形成されており、接続部３４′及び３８′や四角ナット５４に対する案内用のテーパ６０も形成されている。
【００５３】
上記構成において、バスバー１２′及び１９′は以下で説明するような状態に取り付けられてヒュージブルリンク３と接続されることになる。
【００５４】
即ち、図９に示される如く、バスバー１２′は第一箱本体６の下側から矢線Ｐ方向（図９の下から上に向く方向）に挿入されて、第一箱本体６の内部の所定位置に配置、固定される。開放空間９に導出された接続部３４′は、スリット１６（図４参照）を介して開放空間９を矢線Ｐ方向に移動する。バスバー１９′も同様に第二箱本体７の下側から矢線Ｐ方向に挿入されて、第二箱本体７の内部の所定位置に配置、固定される。開放空間９に導出された接続部３８′は、スリット２１（図４参照）を介して開放空間９を矢線Ｐ方向に移動する。
【００５５】
図１０において、バスバー１２′を所定位置に配置、固定すると、接続部３４′が各ロック５８を乗りこえ（通過し）挿通部５７に挿通される。接続部３４′の移動に関しては、スリット１６（図４参照）により規制されるようになる。挿通部５７に挿通された接続部３４′の一方の面（特許請求の範囲に記載した一方側の面に相当）は丁度、薄肉部５６の表面と同一平面となる。バスバー１９′も同様に、その接続部３８′が各ロック５８を乗りこえ（通過し）挿通部５７に挿通される。接続部３８′の一方の面（特許請求の範囲に記載した一方側の面に相当）が薄肉部５６の表面と同一平面となる。
【００５６】
この状態から、各ロック５８に四角ナット５４、５４を嵌合、係止させると（図１１参照）、その四角ナット５４、５４は嵌合の逆方向に移動不能となるため、四角ナット５４、５４が接続部３４′及び接続部３８′の座部として機能する。接続部３４′及び接続部３８′の各他方の面の対面側には、ブロック５３が存することになる。
【００５７】
接続部３４′及び接続部３８′のボルト挿通孔３５′及び３７′と、四角ナット５４、５４とが同軸上に配置されると、ヒュージブルリンク３の接続が可能になる。即ち、ブロック５３の挿通部５７、５７を介して、保持された接続部３４′及び接続部３８′を臨むことができるようになるから、ヒュージブルリンク３の接続が可能になる。この状態において、バスバー１２′及び１９′の箱本体５２に対する取り付けが完了する。
【００５８】
ヒュージブルリンク３をブロック５３に載せると、接続部３４′及び接続部３８′の各一方の面にヒュージブルリンク３の各接続端子４０、４０が載り、各接続端子４０、４０のボルト挿通孔４１、４１と、接続部３４′及び接続部３８′の各ボルト挿通孔３５′及び３７′と、四角ナット５４、５４とが同軸上に配置される。
【００５９】
そして、図１２に示される如く、ボルト４２、４２を締め付けることでヒュージブルリンク３がバスバー１２′及び１９′に接続、固定される。
【００６０】
以上を言い換えれば、箱本体５２の外縁部に接続用の開放空間９を設けて、そこにバスバー１２′及び１９′の接続部３４′及び接続部３８′を導出させている。そして、バスバー１２′及び１９′を箱本体５２の他方側から、即ち矢線Ｐ方向から箱本体５２の所定位置に挿入、配置させると、バスバー１２′及び１９′が箱本体５２に固定されるとともに、接続部３４′及び接続部３８′が開放空間９を移動してブロック５３に保持されるようになる。このバスバー１２′及び１９′が取り付けられた状態においては、ブロック５３に保持された接続部３４′及び接続部３８′の各一方の面に、ヒュージブルリンク３の各接続端子４０、４０が接続可能となる。また、接続部３４′及び接続部３８′の各他方の面の対面側には、四角ナット５４、５４を係止したブロック５３が存するようになる。ブロック５３にヒュージブルリンク３を載せ、ボルト４２、４２を締め付けると、ヒュージブルリンク３がバスバー１２′及び１９′に接続、固定されるようになる。
【００６１】
以上、図９ないし図１２までを参照しながら説明してきたように、バスバー１２′及び１９′を箱本体５２の内部の所定位置に挿入、配置すると、開放空間９に導出させたバスバー１２′及び１９′の接続部３４′及び３８′をヒュージブルリンク３の接続端子４０、４０に対して接続可能な位置まで移動させることができる。また、接続部３４′及び３８′の各他方の面の対面側には接続用のブロック５３が存することから、そのブロック５３を接続部３４′及び３８′の座部として機能させることができる。
【００６２】
従って、バスバー１２′及び１９′のような箱本体５２の内部に挿入されるバスバーであっても、開脚状の接続端子４０、４０を有するヒュージブルリンク３を接続することができる。また、ブロック５３には、四角ナット５４、５４が保持されていることから、バスバー１２′及び１９′とヒュージブルリンク３との接続を容易にすることができる。さらに、あえて他のバスバーを増やす必要もないことから、部品点数の増大を抑えることができる。
【００６３】
尚、上述のバスバーの取り付け構造は、図１３に示される如く、ヒュージブルリンク３の一方側の接続端子４０に対してのみ構成することも可能である。また、四角ナット５４に代えて図１４に示される如くの頭部を平面視四角形にしたボルト６１をブロック５３に係止させてもよいものとする。
【００６４】
【発明の効果】
以上説明したように、請求項１に記載された本発明によれば、接続部に対する開放空間を有することから、バスバーを箱本体の内部の所定位置に挿入、配置すると、開放空間に導出されたバスバーの接続部をヒュージブルリンクの接続端子に対して接続可能な位置まで移動させることができる。接続部の接続端子に対する面の逆側には接続用のブロックが存し、そのブロックを接続部やナット等の座部として機能させることができる。これにより、バスバーを箱本体の内部に挿入するものでも、開脚状の接続端子を有するヒュージブルリンクを箱本体に接続することができる。ブロックは、ナット又はボルトいずれかを備えるから、バスバーとヒュージブルリンクとの接続を容易にすることができる。また、あえてバスバーを増やす必要もないことから、部品点数の増大が抑えられ、コストに影響を来すことはない。
従って、開脚状の接続端子を有するヒュージブルリンクを容易且つ確実に接続することができるという効果を奏する。
【００６５】
さらに上記効果に加えて、ヒュージブルリンクを所定位置に置いて締め付ければ、ブロック本体の開口部を介してバスバーの接続部とヒュージブルリンクの接続端子とを接続することができる。また、ブロック本体カバーによって、接続部をブロック本体とブロック本体カバーとの間に保持させることができる。
従って、ブロック本体とブロック本体カバーとを備えたブロックにより、請求項１と同様、開脚状の接続端子を有するヒュージブルリンクを容易且つ確実に接続することができる。
【００６６】
請求項２に記載された本発明によれば、接続部が当接するストッパを開口部に形成していることから、ブロック本体カバーをブロック本体に係合させると、接続部をブロック本体に押し付けて保持することができる。
従って、接続部の位置が安定することから、容易且つ確実にヒュージブルリンクを接続することができる。また、信頼性を向上させることもできる。
【００６７】
請求項３に記載された本発明によれば、ナット又はボルトの頭部は、ブロック本体カバーに一体成形、又はブロック本体カバーに形成した貫通孔若しくは有底の孔に圧入されることから、ナット又はボルトの頭部を確実に保持することができる。
従って、ナット又はボルトの頭部の位置が安定することから、容易且つ確実にバスバーとヒュージブルリンクとを接続することができる。また、信頼性を向上させることもできる。
【００６８】
請求項４に記載された本発明によれば、ヒンジを介してブロック本体カバーをブロック本体に一体成形していることから、接続にかかる作業を容易にすることができる。また、部品点数の増大を抑えることもできる。
【００６９】
請求項５に記載された本発明によれば、ヒュージブルリンクを所定位置に置いて締め付ければ、挿通部を介してバスバーの接続部とヒュージブルリンクの接続端子とを接続することができる。また、挿通部の開口縁に形成された複数のロックによりナット又はボルトの頭部が保持されるから、接続部に対する座部を確保することができる。
従って、開口縁にロックを複数形成した挿通部を有するブロックにより、請求項１と同様、開脚状の接続端子を有するヒュージブルリンクを容易且つ確実に接続することができる。
【００７０】
請求項６に記載された本発明によれば、ナット又はボルトの頭部を平面視四角形に形成していることから、相手側の螺合によって回動してしまうのを防止することができる。
従って、接続にかかる作業を容易にすることができる。
【図面の簡単な説明】
【図１】本発明によるバスバーの取り付け構造の一実施の形態を示す電気接続箱としてのヒューズボックスの分解斜視図である。
【図２】図１のＡ−Ａ線断面図（ブロックのみ）である。
【図３】バスバーとヒュージブルリンクとの接続を説明するための図１のＡ−Ａ線位置での断面図である。
【図４】電気接続箱の底面図である。
【図５】バスバーとヒュージブルリンクとの接続が完了した際の図１のＡ−Ａ線位置での断面図である。
【図６】ブロック本体カバーの他の例を説明するための断面図である。
【図７】ブロック本体カバーにナットを保持させた場合の別の例を示す要部断面図である。
【図８】ブロック本体カバーにボルトを保持させた場合の要部断面図である。
【図９】本発明によるバスバーの取り付け構造の他の一実施の形態を示す電気接続箱としてのヒューズボックスの分解斜視図である。
【図１０】バスバーとヒュージブルリンクとの接続を説明するための図９のＢ−Ｂ線位置での断面図である。
【図１１】図１０のＣ視方向の説明図（要部のみ）である。
【図１２】バスバーとヒュージブルリンクとの接続が完了した際の図９のＢ−Ｂ線位置での断面図である。
【図１３】他の一実施の形態のブロックに対する別の例を説明するための断面図である。
【図１４】他の一実施の形態のブロックにボルトを保持させた場合の要部断面図である。
【符号の説明】
１  ヒューズボックス（電気接続箱）
２  箱本体
３  ヒュージブルリンク
６  第一箱本体
７  第二箱本体
８  ブロック
９  開放空間
１２、１９  バスバー
２２  ブロック本体
２３  ヒンジ
２４  ブロック本体カバー
２５  開口部
２７  ストッパ
３０  係止突起
３１  貫通孔
３４、３８  接続部
４０  接続端子
５１  ヒューズボックス（電気接続箱）
５２  箱本体
５３  ブロック
５７  挿通部
５８  ロック
【図１】
0003731798.tif 000002
【図２】
0003731798.tif 000003
【図３】
0003731798.tif 000004
【図４】
0003731798.tif 000005
【図５】
0003731798.tif 000006
【図６】
0003731798.tif 000007
【図７】
0003731798.tif 000008
【図８】
0003731798.tif 000009
【図９】
0003731798.tif 000010
【図１０】
0003731798.tif 000011
【図１１】
0003731798.tif 000012
【図１２】
0003731798.tif 000013
【図１３】
0003731798.tif 000014
【図１４】
0003731798.tif 000015